(57)【要約】【課題】放射した電界により通信が開始される不都合の防止を図る。【解決手段】端末１は、通信信号Ｄより低周波の起動信号Ｗを送信する。その到達範囲ＷＡは、そのユーザの周囲の極めて狭い範囲に限られる。例えば、端末２を身につけた他のユーザが近づいても、その端末２が起動信号Ｗを受信する可能性は低い。したがって、その端末２が端末１との通信を開始する可能性を低減することができる。【選択図】図５
2011193188.tif 000002
【特許請求の範囲】
【請求項１】
第１端末と第２端末とを備え、
前記第１端末は、
電極と、
前記電極と電界伝達媒体を介して前記第２端末との間で通信信号を送受信する送受信器とを備え、
前記送受信器は、
前記通信信号より低周波の起動信号を送信する手段と、
前記起動信号に対して送信される応答信号を検出する手段と、
前記応答信号が検出されたなら通信信号を送受信する手段と
を備え、
前記第２端末は、
電極と、
前記電極と電界伝達媒体を介して前記第１端末との間で通信信号を送受信する送受信器とを備え、
前記送受信器は、
前記通信信号より低周波の起動信号を検出する手段と、
前記起動信号が検出されたなら応答信号を送信する手段と、
前記応答信号が送信されたなら通信信号を送受信する手段と
を備える
ことを特徴とする電界通信システム。
【請求項２】
前記第１端末の送受信器は、
前記電界伝達媒体を検出する検出器から送信される検出信号を検出し、前記検出信号が検出されたなら、前記検出信号の検出を停止し、前記起動信号を送信開始させる手段と、
前記起動信号が送信開始されてから前記応答信号が検出されず且つ一定時間が経過したかを判定する手段と、
前記応答信号が検出されず且つ前記一定時間が経過したなら、前記起動信号の送信を停止させ、前記検出信号の検出を開始させる手段と
を備えることを特徴とする請求項１記載の電界通信システム。
【請求項３】
前記第１端末の送受信器は、
前記起動信号が送信されてから前記応答信号が検出されず且つ一定時間が経過したかを判定する手段を備え、
前記応答信号が検出され且つ前記一定時間が経過していないなら、通信信号を送受信することを特徴とする請求項１記載の電界通信システム。
【請求項４】
前記第２端末の送受信器は、
前記応答信号が送信されてから前記起動信号が検出されず且つ一定時間が経過したかを判定する手段と、
前記起動信号が検出され且つ前記一定時間が経過していないなら、前記応答信号を送信させる手段と
を備えることを特徴とする請求項１ないし３のいずれかに記載の電界通信システム。
【請求項５】
前記第２端末の送受信器は、
前記応答信号が送信されてから前記起動信号が検出されず且つ一定時間が経過したかを判定する手段を備え、
前記起動信号が検出されず且つ前記一定時間が経過したなら、通信信号を送受信させる
ことを特徴とする請求項１ないし３のいずれかに記載の電界通信システム。
【発明の詳細な説明】
【技術分野】
【０００１】
本発明は、放射した電界により通信が開始される不都合の防止を図った電界通信システムに関するものである。
【背景技術】
【０００２】
従来においては、人体などに電界を誘起させて通信を行う電界通信システムとして、非特許文献１に開示されたものがある。
【０００３】
図６は、従来の電界通信システムによる通信の様子を示す図である。
【０００４】
端末２Ａを身につけたユーザが、端末１Ａの電極１１に乗ると、ユーザの人体が、電界（信号）の伝達媒体となり、端末２Ａは、端末１Ａとの通信を開始する。後ろのユーザは、電極１１に乗っていないので、そのユーザが身につけた端末２Ａは、通常は、端末１Ａとの通信を開始しない。
【先行技術文献】
【非特許文献】
【０００５】
【非特許文献１】"RedTacton"、［ｏｎｌｉｎｅ］、日本電信電話株式会社、［平成２０年１２月１日検索］、インターネット＜ＵＲＬ：http://www.redtacton.com/＞
【発明の概要】
【発明が解決しようとする課題】
【０００６】
しかし、電界は人体などを伝達するだけでなく、端末２Ａから空中に放射される。例えば、後ろのユーザの端末２Ａから空中に放射した電界が、前のユーザの人体を介して電極１１に達した場合、端末１Ａが電極１１から信号を受信し、これにより、後ろのユーザの端末２Ａと端末１Ａとの通信が開始される可能性がある。また、これが原因で、電極１１に乗ったユーザの端末２Ａと端末１Ａとの通信が妨害される可能性もある。
【０００７】
本発明は、上記の課題に鑑みてなされたものであり、その目的とするところは、放射した電界により通信が開始される不都合の防止を図った電界通信システムを提供することにある。
【課題を解決するための手段】
【０００８】
上記の課題を解決するために、本発明に係る電界通信システムは、第１端末と第２端末とを備え、前記第１端末は、電極と、前記電極と電界伝達媒体を介して前記第２端末との間で通信信号を送受信する送受信器とを備え、前記送受信器は、前記通信信号より低周波の起動信号を送信する手段と、前記起動信号に対して送信される応答信号を検出する手段と、前記応答信号が検出されたなら通信信号を送受信する手段とを備え、前記第２端末は、電極と、前記電極と電界伝達媒体を介して前記第１端末との間で通信信号を送受信する送受信器とを備え、前記送受信器は、前記通信信号より低周波の起動信号を検出する手段と、前記起動信号が検出されたなら応答信号を送信する手段と、前記応答信号が送信されたなら通信信号を送受信する手段とを備えることを特徴とする。
【０００９】
例えば、前記第１端末の送受信器は、前記電界伝達媒体を検出する検出器から送信される検出信号を検出し、前記検出信号が検出されたなら、前記検出信号の検出を停止し、前記起動信号を送信開始させる手段と、前記起動信号が送信開始されてから前記応答信号が検出されず且つ一定時間が経過したかを判定する手段と、前記応答信号が検出されず且つ前記一定時間が経過したなら、前記起動信号の送信を停止させ、前記検出信号の検出を開始させる手段とを備える。
【００１０】
例えば、前記第１端末の送受信器は、前記起動信号が送信されてから前記応答信号が検出されず且つ一定時間が経過したかを判定する手段を備え、前記応答信号が検出され且つ前記一定時間が経過していないなら、通信信号を送受信する。
【００１１】
例えば、前記第２端末の送受信器は、前記応答信号が送信されてから前記起動信号が検出されず且つ一定時間が経過したかを判定する手段と、前記起動信号が検出され且つ前記一定時間が経過していないなら、前記応答信号を送信させる手段とを備える。
【００１２】
例えば、前記第２端末の送受信器は、前記応答信号が送信されてから前記起動信号が検出されず且つ一定時間が経過したかを判定する手段を備え、前記起動信号が検出されず且つ前記一定時間が経過したなら、通信信号を送受信させる。
【発明の効果】
【００１３】
本発明によれば、放射した電界により通信が開始される不都合の防止を図ることができる。
【図面の簡単な説明】
【００１４】
【図１】本実施の形態に係る電界通信システムの構成の一例を示す図である。
【図２】端末１の送受信器１３の動作を示すフローチャートである。
【図３】端末２の送受信器２３の動作を示すフローチャートである。
【図４】電界通信システムにおける通常の通信の様子を示す図である。
【図５】放射した電界によって通信が開始されるのが防止される様子を示す図である。
【図６】従来の電界通信システムによる通信の様子を示す図である。
【発明を実施するための形態】
【００１５】
以下、本発明の実施の形態を図面を参照して説明する。
【００１６】
図１は、本実施の形態に係る電界通信システムの構成の一例を示す図である。
【００１７】
電界通信システムは、そのユーザの人体つまり電界伝達媒体を介して電界による通信信号Ｄを送受信する端末１、２を含む。ここでは、端末１は予め定めた位置に設置されたものであり、端末２は移動可能な移動端末である。ユーザは端末２を身につけており、図示しない他のユーザも同様に図示しない端末２を身につける。端末１、２は、例えば、通信信号Ｄの送受信により、ユーザの認証を行う。
【００１８】
端末１は、電極１１、１２、これらの電極１１、１２とユーザの人体を介して端末２との間で信号を送受信する送受信器１３を備える。送受信器１３には、ユーザを検出する検出器（図示せず）からの検出信号Ｓが入力される。検出信号Ｓはユーザが検出された場合に入力されるものである。
【００１９】
端末２は、電極２１、２２、これらの電極２１、２２とユーザの人体を介して端末１との間で信号を送受信する送受信器２３を備える。
【００２０】
図２は、端末１の送受信器１３の動作を示すフローチャートである。
【００２１】
まず、送受信器１３は、検出信号Ｓを継続的に検出し（Ｓ１）、検出信号Ｓを検出したなら、検出を停止するとともに、電極１１、１２間に対し、通信信号Ｄより低周波の起動信号Ｗの印加（起動信号Ｗの送信）を開始する（Ｓ３）。
【００２２】
次に、送受信器１３は、起動信号Ｗの印加（送信）を開始してから一定時間（予め設定された時間の長さ）が経過したかを判定する（Ｓ５）。送受信器１３は、一定時間が経過したなら、起動信号Ｗの印加（送信）を停止して（Ｓ７）、検出信号Ｓの検出を開始し（Ｓ１）、一方、一定時間が経過してないなら、起動信号Ｗに対して送信されて電極間に生じる応答信号Ｒを検出する（Ｓ９）。
【００２３】
送受信器１３は、応答信号Ｒが検出されなかったなら、ステップＳ５に制御を戻す。一方、送受信器１３は、応答信号Ｒが検出されたなら、起動信号Ｗの送信を停止し（Ｓ１１）、電極を介して通信信号Ｄの送受信を行い（Ｓ１３）、これが終わると、検出信号Ｓの検出を開始する（Ｓ１）。
【００２４】
図３は、端末２の送受信器２３の動作を示すフローチャートである。
【００２５】
まず、送受信器２３は、電極２１、２２間に生じる起動信号Ｗを継続的に検出する（Ｓ２１）。送受信器２３は、起動信号Ｗを検出したなら、電極間に対し、応答信号Ｒの印加（応答信号Ｒの送信）を１回行う（Ｓ２３）。
【００２６】
次に、送受信器２３は、応答信号Ｒを印加（送信）してから一定時間（予め設定された時間の長さ）が経過したかを判定し（Ｓ２５）、一定時間が経過してないなら、起動信号Ｗを検出する（Ｓ２７）。
【００２７】
送受信器２３は、起動信号Ｗが検出されたなら、応答信号Ｒの送信を行い（Ｓ２３）、一方、起動信号Ｗが検出されなかったなら、応答信号Ｒを送信してから一定時間が経過したかを判定する（Ｓ２５）。
【００２８】
送受信器２３は、応答信号Ｒを送信してから一定時間が経過したなら、電極を介して通信信号Ｄの送受信を行い（Ｓ２９）、これが終わると、起動信号Ｗの検出を開始する（Ｓ２１）。
【００２９】
図４は、電界通信システムにおける通常の通信の様子を示す図である。
【００３０】
図４左部に示すように、ユーザが電極１１に乗ると、電極１１、１２間に生じていた低周波の起動信号Ｗがユーザの人体を伝達し、端末２で受信される。すると端末２は、応答信号Ｒを送信し、これがユーザの人体を伝達し、電極１１、１２を介して、端末１で受信される。
【００３１】
次に、図４右部に示すように、ユーザの人体を介して端末間で通信信号Ｄが送受信される。
【００３２】
図５は、放射した電界によって通信が開始されるのが防止される様子を示す図である。
【００３３】
図５（ａ）は、端末２を身につけたユーザが電極１１に乗っている様子を示す。通信信号Ｄより低周波の起動信号Ｗを用いたことで、起動信号Ｗの到達範囲ＷＡは、そのユーザの周囲の極めて狭い範囲に限られる。例えば、端末２を身につけた他のユーザが近づいても、その端末２が起動信号Ｗを受信する可能性は低い。したがって、その端末２が端末１との通信を開始する可能性を低減することができる。すなわち、例えば、電極１１に乗っているユーザの端末２の通信を開始している場合、その通信が妨害される不都合の防止を図ることができる。
【００３４】
図５（ｂ）は、端末２を身につけていないユーザが電極１１に乗っている様子を示す。図５（ａ）と同様に、起動信号Ｗの到達範囲ＷＡは、そのユーザの周囲の極めて狭い範囲に限られる。したがって、端末２を身につけた他のユーザが近づいても、その端末２が端末１との通信を開始する可能性は低い。すなわち、例えば、端末２を身につけたユーザは単なる通りすがりのユーザであり、通信の意図がないのにも拘わらず通信が開始される不都合の防止を図ることができる。
【００３５】
したがって、本実施の形態に係る電界通信システムによれば、端末１の送受信器１３は、通信信号Ｄより低周波の起動信号Ｗを送信する手段（Ｓ３）と、起動信号Ｗに対して送信される応答信号Ｒを検出する手段（Ｓ９）と、応答信号Ｒが検出されたなら通信信号Ｄを送受信する手段（Ｓ１３）とを備え、端末２の送受信器２３は、通信信号Ｄより低周波の起動信号Ｗを検出する手段（Ｓ２１）と、起動信号Ｗが検出されたなら応答信号Ｒを送信する手段（Ｓ２３）と、応答信号Ｒが送信されたなら通信信号Ｄを送受信する手段（Ｓ２９）とを備えるので、図５に示すように、放射した電界により通信が開始される不都合の防止を図ることができる。また、不必要な通信により電力が消費されるのを防止でき、省電力に寄与する。
【００３６】
また、端末１の送受信器１３は、ユーザを検出する検出器から送信される検出信号Ｓを検出し、検出信号Ｓが検出されたなら、検出信号Ｓの検出を停止し、起動信号Ｗを送信開始させる手段（Ｓ１）と、起動信号Ｗが送信開始されてから応答信号Ｒが検出されず且つ一定時間が経過したかを判定する手段（Ｓ５）と、応答信号Ｒが検出されず且つ一定時間が経過したなら（Ｓ５：ＹＥＳ）、起動信号Ｗの送信を停止させ（Ｓ７）、検出信号Ｓの検出を開始させる手段（Ｓ７）とを備えるので、起動信号Ｗの常時送信する必要なく、省電力に寄与する。
【００３７】
また、端末１の送受信器１３は、起動信号Ｗが送信されてから応答信号Ｒが検出されず且つ一定時間が経過したかを判定する手段（Ｓ５）を備え、応答信号Ｒが検出され且つ一定時間が経過していないなら、通信信号Ｄを送受信するので、少なくとも一定時間が経過する前に応答信号Ｒを送信した端末２との通信を可能にすることができる。
【００３８】
また、端末２の送受信器２３は、応答信号Ｒが送信されてから起動信号Ｗが検出されず且つ一定時間が経過したかを判定する手段（Ｓ２５）と、起動信号Ｗが検出され且つ一定時間が経過していないなら、応答信号Ｒを送信させる手段（Ｓ２７）とを備えるので、応答信号Ｒを受信できなかった端末１に応答信号Ｒを再送し、もって、端末１との通信が確実に行われるようにすることができる。
【００３９】
また、端末２の送受信器２３は、応答信号Ｒが送信されてから起動信号Ｗが検出されず且つ一定時間が経過したかを判定する手段（Ｓ２５）を備え、起動信号Ｗが検出されず且つ一定時間が経過したなら（Ｓ２５：ＹＥＳ）、通信信号を送受信させるので、少なくとも一定時間が経過する前に応答信号Ｒを受信した端末１との通信を可能にすることができる。
【００４０】
また、端末１は予め定めた位置に設置されたものであり、端末２は移動可能な移動端末であるので、端末２の位置によっては通信が開始される可能性が高まるこのような状況下にあっても、その可能性の低減を図ることができる。
【００４１】
なお、本実施の形態にあっては、電界伝達媒体として、ユーザの人体を例としたが、電界伝達媒体は、人体に限らず、ドアノブや壁や机などといった電界を伝達できる他の物体であってもよい。また、本実施の形態にあっては、電極を２枚構成としたが、例えば、一方の電極を端末の筐体などで代用してもよい。
【符号の説明】
【００４２】
１、２…端末
１１、１２、２１、２２…電極
１３、２３…送受信器
Ｒ…応答信号
Ｓ…検出信号
Ｗ…起動信号
【図１】
2011193188.tif 000003
【図２】
2011193188.tif 000004
【図３】
2011193188.tif 000005
【図４】
2011193188.tif 000006
【図５】
2011193188.tif 000007
【図６】
2011193188.tif 000008